(57)【要約】      （修正有）【課題】シンプルな構成で低コストのフェイスシールドを提供する。【解決手段】マスク２のマスク紐３又は眼鏡のテンプルに取り付けて装着され、装着者の顔の前面を覆うフェイスシールド１０であって、マスク紐又はテンプルを通すための切れ目１５、１６が左右両側に縦方向に形成された可撓性の透明シート１１を備え、切れ目は、左右両側端付近に形成された外側切れ目１６と、外側切れ目の内側に並んで形成された内側切れ目１５とを備える。切れ目は、透明シートの縦方向の真ん中よりも下方寄りに形成されており、切れ目の上端から透明シートの上端までの長さが、切れ目の下端から透明シートの下端までの長さの１．５倍以上である。【選択図】図２
0003229007.tif 000002
【実用新案登録請求の範囲】
【請求項１】
マスクのマスク紐又は眼鏡のテンプルに取り付けて装着され、装着者の顔の前面を覆うフェイスシールドにおいて、
前記マスク紐又は前記テンプルを通すための切れ目が左右両側に縦方向に形成された可撓性の透明シートを備え、
前記切れ目は、左右両側端付近に形成された外側切れ目と、前記外側切れ目の内側に並んで形成された内側切れ目とを備えることを特徴とするフェイスシールド。
【請求項２】
前記切れ目は、前記透明シートの縦方向の真ん中よりも下方寄りに形成されており、前記切れ目の上端から前記透明シートの上端までの長さが、前記切れ目の下端から前記透明シートの下端までの長さの1.5倍以上であることを特徴とする請求項１記載のフェイスシールド。
【請求項３】
前記内側切れ目及び前記外側切れ目は、長さが4cm以上8cm以下であり、前記内側切れ目と前記外側切れ目との間隔が1.5cm以上3.5cm以下であることを特徴とする請求項1又は2記載のフェイスシールド。
【請求項４】
前記内側切れ目の長さが前記外側切れ目の長さよりも長いことを特徴とする請求項３記載のフェイスシールド。
【請求項５】
前記透明シートは、Ａ４サイズのシートに前記切れ目を形成することで製造されることを特徴とする請求項１乃至４何れか１項記載のフェイスシールド。
【考案の詳細な説明】
【技術分野】
【０００１】
本考案は、顔面を覆って飛沫等の飛散を防止するためのフェイスシールドに関する。
【背景技術】
【０００２】
従来から、飛散する飛沫等の曝露から装着者の顔面を保護したり、装着者から周囲への飛沫等の飛散を防止したりするために、種々のフェイスシールド・フェイスガードが提供されており、例えば、下記特許文献１，２に開示されている。
【先行技術文献】
【特許文献】
【０００３】
【特許文献１】特開２００９−１８９５４３号公報
【特許文献２】特開２０１８−１４９２９５号公報
【考案の概要】
【考案が解決しようとする課題】
【０００４】
しかし、従来のフェイスシールドは、頭に装着するための部材が別途設置されており、高コスト化したり、重量が重くなって装着者が煩わしさを感じるといった問題がある。
【０００５】
本考案は、上記課題を解決するためになされたものであり、シンプルな構成で低コストのフェイスシールドを提供することを目的とする。
【課題を解決するための手段】
【０００６】
上記課題を解決するために、本考案に係るフェイスシールドは、マスクのマスク紐又は眼鏡のテンプルに取り付けて装着され、装着者の顔の前面を覆うフェイスシールドにおいて、前記マスク紐又は前記テンプルを通すための切れ目が左右両側に縦方向に形成された可撓性の透明シートを備え、前記切れ目は、左右両側端付近に形成された外側切れ目と、前記外側切れ目の内側に並んで形成された内側切れ目とを備えることを特徴とする。
【考案の効果】
【０００７】
本考案に係るフェイスシールドによれば、マスク紐又は眼鏡のテンプルを切れ目に通すだけで装着できるため、低コストでシンプルな構成を実現している。
【図面の簡単な説明】
【０００８】
【図１】図１は、本考案の実施形態に係るフェイスシールドの正面図である。
【図２】図２は、本考案の実施形態に係るフェイスシールドにマスク紐を通した状態を示す図である。
【図３】図３は、本考案の実施形態に係るフェイスシールドにテンプルを通した状態を示す図である。
【図４】図４は、本考案の実施形態に係るフェイスシールドをマスクに取り付けて装着した状態を示す図である。
【図５】図５は、本考案の実施形態に係るフェイスシールドを眼鏡に取り付けて装着した状態を示す図である。
【図６】図６は、本考案の実施形態に係るフェイスシールドを眼鏡に取り付けて装着した状態を示す図である。
【考案を実施するための形態】
【０００９】
以下、図面を参照しながら、本考案の実施形態について詳細に説明する。本実施形態に係るフェイスシールド１０は、マスク２や眼鏡５に取り付けることで、顔面を覆って装着することができる。
【００１０】
図１に示すように、フェイスシールド１０は、略長方形の透明シート１１から構成される。透明シート１１は、長辺が水平となる横長の姿勢で使用され、左右両側の端部近傍には、それぞれ縦方向に2本の切れ目１５，１６が平行に形成されている。切れ目１５，１６は、左右方向の内側に位置する内側切れ目１５と、外側に位置する外側切れ目１６とから構成され、左右対称に形成されている。
【００１１】
透明シート１１は、Ａ４サイズのポリエステルフィルムに対して、四隅を円弧形状にカットすると共に、切れ目１５，１６を入れることで製造される。具体的には、市販されているＯＨＰシート（オーバーヘッドプロジェクターシート）から透明シート１１を製造することができる。もちろん、透明シート１１の素材は適宜変更可能であり、可撓性の透明なシートであれば、ＰＥＴシート等の他の素材のシートを採用することができる。
【００１２】
このように、低コストで容易に入手できるＡ４サイズの透明のシートを用いることで、低コストで手軽にフェイスシールド１０を作成することができる。また、透明シート１１の四隅にＲを形成することで、装着者が尖った隅でケガをしたり、フェイスシールド１０の廃棄時にゴミ袋が破れたりすることを防止できる。
【００１３】
内側切れ目１５は、透明シート１１の左右の端から4cm内側の位置に縦方向に延在して形成されている。内側切れ目１５の長さは、7cmである。内側切れ目１５の上端は、透明シート１１の上端から9cm下方に位置し、内側切れ目１５の下端は、透明シート１１の下端から5cm上方に位置する。
【００１４】
外側切れ目１６は、透明シート１１の左右両側端付近、具体的には、左右の端から2cm内側の位置に縦方向に延在して形成されている。外側切れ目１６の長さは、6cmである。外側切れ目１６の上端は、透明シート１１の上端から10cm下方に位置し、外側切れ目１６の下端は、透明シート１１の下端から5cm上方に位置する。
【００１５】
本実施形態では、内側切れ目１５と外側切れ目１６が縦方向に平行に形成されているが、後述するマスク紐３やテンプル６を良好に通して装着できるのであれば、多少傾斜していても良いし、互いに平行でなくても良い。
【００１６】
マスク２に取り付けてフェイスシールド１０を装着する場合には、図２に示すように、マスク２を顔に装着する前に、マスク２の左右のマスク紐３をそれぞれ左右の切れ目１５，１６に通しておく。マスク２に取り付ける場合は、マスク紐３を内側切れ目１５と外側切れ目１６との少なくとも一方に通せば良い。
【００１７】
例えば、大人用のフリーサイズのマスクの場合には、マスク紐３を外側切れ目１６に通してフェイスシールド１０をマスク２に取り付け（図２参照）、子供用のＳサイズのマスクの場合には、マスク紐３を内側切れ目１５及び外側切れ目１６の双方に通してフェイスシールド１０をマスク２に取り付けることができる。
【００１８】
眼鏡５に取り付けてフェイスシールド１０を装着する際には、図３に示すように、眼鏡５を顔に装着する前に、眼鏡５の左右のテンプル６をそれぞれ左右の切れ目１５，１６に通しておく。眼鏡５の場合には、テンプル６を内側切れ目１５及び外側切れ目１６の双方に通すのが望ましい。
【００１９】
なお、図３では、右側のテンプル６を通す前の左側のテンプル６だけを通した状態を示している。右側のテンプル６を右側の切れ目１５，１６に通す際には、右側のテンプル６の先端を右側の内側切れ目１５の位置に持ってくる必要があり、左側の内側切れ目１５にレンズ部分を一時的に通す程度まで、眼鏡５を左側に寄せる必要がある。
【００２０】
このため、本実施形態では、内側切れ目１５の長さを外側切れ目１６の長さよりも長くして、縦方向のサイズが大きい眼鏡５のレンズ部分が内側切れ目１５を通りやすいように構成している。また、フェイスシールド１０を眼鏡５に取り付ける際（図３参照）には、マスク２に取り付ける時（図２参照）と、フェイスシールド１０の上下が逆になっている。
【００２１】
フェイスシールド１０は、装着時に、眼から口元まで顔面を覆ってガードするのが望ましく、口元に装着されるマスク２に取り付けてフェイスシールド１０を装着する場合には、口元に位置するマスク２から上方へとフェイスシールド１０が延びて眼を覆うのが望ましいのに対して、口元から下方にはそれほど延びる必要がない。
【００２２】
一方、眼に装着される眼鏡５にフェイスシールド１０を取り付けて装着する場合には、眼に位置する眼鏡５から下方にフェイスシールド１０が突出して口元を覆うのが望ましいため、マスク２に取り付ける場合と上下逆にフェイスシールド１０を眼鏡５に取り付けている。
【００２３】
このように、透明シート１１は、縦方向において、切れ目１５，１６から上方又は下方の一方に延びて突出する必要があり、切れ目１５，１６から上側又は下側の何れかの一方の縦方向長さが、他方の縦方向の長さよりも長くなるように構成される必要がある。
【００２４】
本実施形態では、フェイスシールド１０の基本姿勢を示す図１の正面図において、フェイスシールド１０の切れ目１５，１６の上端より上方の長さが9cm、切れ目１５，１６の下端より下方の長さが5cmに構成され、切れ目１５，１６より上側の縦方向の長さが、下側の縦方向の長さよりも1.8倍となっている。
【００２５】
このように、この長い方の部分を口元又は眼へと突出させてカバーすることで、フェイスシールド１０により顔面を効果的に保護するためには、切れ目１５，１６から上方又は下方の長さを他方より1.5倍以上長くするのが望ましい。
【００２６】
なお、本実施形態に係る切れ目１５，１６は、切断刃で透明シート１１を切断して形成したものであり、幅は略0mmであるが、ある程度の幅（例えば、2〜3mm程度）を持たせるようにしても良い。切れ目１５，１６の幅が大きくなると、切れ目１５，１６に通された眼鏡５のテンプル６が相対的にずれやすくなり、取り付けが楽になる一方、装着が安定しないおそれもあるため、適宜サイズ調整するのが望ましい。
【００２７】
続いて、フェイスシールド１０の装着状態について説明する。図４は、マスク２と共にフェイスシールド１０を顔に装着した状態を示している。このように、基本姿勢のフェイスシールド１０の外側切れ目１６にマスク紐３を通した状態で、装着することで、透明シート１１の切れ目１５，１６よりも上方の縦方向に長い部分が上方に突出し、口元だけでなく眼の部分もフェイスシールド１０により効果的に保護することができる。
【００２８】
図５及び図６は、眼鏡５と共にフェイスシールド１０を顔に装着した状態を示している。このように、基本姿勢と上下逆の状態のフェイスシールド１０の内側切れ目１５及び外側切れ目１６の双方にテンプル６を通した状態で装着することで、透明シート１１の切れ目１５，１６よりも下方の縦方向に長い部分が下方に突出し、眼だけでなく口元の部分もフェイスシールド１０により効果的に保護することができる。
【００２９】
このとき、縦方向において、透明シート１１の内側切れ目１５及び外側切れ目１６の上端は同じ高さであり、自重により下方に降下しようとするフェイスシールド１０は、内側切れ目１５及び外側切れ目１６の上端の2点が、眼鏡５の装着時に略水平に延在するテンプル６に引っ掛かって止まる。
【００３０】
よって、装着状態のフェイスシールド１０は、外力が加わらない際には、図５に示すように、略垂直に立った状態で安定して装着される。図６は、装着されたフェイスシールド１０の下端を手で掴んで前方に引っ張って移動させることで、フェイスシールド１０を傾斜状態とし、口元を開放した装着状態を示している。
【００３１】
切れ目１５，１６は、縦方向に所定の長さを有しており、テンプル６は、切れ目１５，１６に対して縦方向にスライド自在である。したがって、自重により2点でテンプル６と接触して装着されているフェイスシールド１０を重力に反して持ち上げることで、テンプル６に対してスライドさせ、フェイスシールド１０の姿勢を適宜変更可能である。
【００３２】
図６に示すように、フェイスシールド１０の下端を前方に移動させて傾斜させ、口元を開くことで、フェイスシールド１０を装着したまま飲食を行うことが可能となる。特に、炎天下においては、口元を開いて手軽に水分補給を行うことができ、熱中症の防止になる。また、口元を開いた状態から手を離せば、傾斜状態のフェイスシールド１０は、自重により下端が元の位置に後退し、図５に示す略垂直状態の姿勢に戻る。
【００３３】
以上、本考案に係る実施形態によれば、フェイスシールド１０の下寄りの左右両側に2本の切れ目１５，１６を形成することで、種々の形状やサイズのマスクに取り付けて適切に装着することができる。
【００３４】
また、2本の切れ目１５，１６に眼鏡５のテンプル６を通して装着することで、各テンプル６により、フェイスシールド１０が2点で接触・保持されるため、眼鏡５と共にフェイスシールド１０を安定して装着することができる。
【００３５】
また、本実施形態によれば、フェイスシールド１０の上下を反転することで、マスク２又は眼鏡５のどちらにでも取り付けて装着することができる。特に、マスク荒れのある人にとっては、眼鏡５に取り付けてフェイスシールド１０を装着することで、マスク荒れを防止することができる。
【００３６】
また、フェイスシールド１０を眼鏡５に取り付けて装着した場合には、フェイスシールド１０と顔面との間の内部空間の上方及び下方が大きく開放されており、フェイスシールド１０の内面に水滴が付いて曇るのを防いだり、内部空間に熱がこもるのを防止して熱中症対策にもなる。
【００３７】
以上、本考案の実施形態について詳細に説明したが、本考案は上記実施形態に限定されるものではなく、本考案の主旨を逸脱しない範囲内で種々の変形が可能である。例えば、フェイスシールドを構成する部材の形状やサイズ、素材等は適宜変更可能である。
【００３８】
フェイスシールドの切れ目の位置やサイズも適宜変更可能であるが、切れ目が長くなったり、切れ目同士が近付いたり、切れ目が透明シートの端部に近付くと、透明シートが破れて破損し易くなってしまうため、切れ目の長さは8cm以下が望ましく、内側切れ目と外側切れ目との間隔は1.5cm以上開けることが望ましく、透明シートの端から切れ目を1.5cm以上開けて形成するのが望ましい。
【００３９】
また、マスク紐及びテンプルを良好に通すため、切れ目の長さは4cm以上であるのが望ましい。また、テンプルと2点で良好に接触して装着されるように、内側切れ目と外側切れ目の間隔は3.5cm以下であることが望ましい。
【００４０】
また、上記実施形態では、左右対称に切れ目が形成されており、対称の方が装着時にフェイスシールドが安定するが、左右対称でなくても良い。また、本実施形態において、眼鏡には、サングラス、伊達眼鏡、ゴーグル等も含む。
【符号の説明】
【００４１】
１０  フェイスシールド
１１  透明シート
１５  内側切れ目
１６  外側切れ目
２    マスク
３    マスク紐
５    眼鏡
６    テンプル
【図１】
0003229007.tif 000003
【図２】
0003229007.tif 000004
【図３】
0003229007.tif 000005
【図４】
0003229007.tif 000006
【図５】
0003229007.tif 000007
【図６】
0003229007.tif 000008